(57)【要約】      （修正有）【課題】濡れ髪にも使用することができると共に、簡単容易に、ヘアーアイロン用カバー部材をヘアーアイロンに装着することができ、しかも、装着時のズレを生じ難くすることができるヘアーアイロンを提供する。【解決手段】毛髪のためのカール機能を少なくとも備えたヘアーアイロンＨであって、ヘアーアイロンＨは、使用者が把持するグリップ部１と、毛髪をカールする際使用する長尺状のアイロン部２と、アイロン部２の外周面２０ｃに装着されるヘアーアイロン用カバー部材５と、を有し、アイロン部２には、該アイロン部２の長手方向に沿って、凸条部２０ｄが設けられ、ヘアーアイロン用カバー部材５の内周面５ａには、凸条部２０ｄに対応する凹条部５ｂが設けられている。【選択図】図１
2020192204.tif 000002
【特許請求の範囲】
【請求項１】
毛髪のためのカール機能を少なくとも備えたヘアーアイロンであって、
前記ヘアーアイロンは、
使用者が把持するグリップ部と、
前記毛髪をカールする際使用する長尺状のアイロン部と、
前記アイロン部の外周面に装着されるヘアーアイロン用カバー部材と、を有し、
前記アイロン部には、該アイロン部の長手方向に沿って、凸条部又は凹条部が設けられ、
前記ヘアーアイロン用カバー部材の内周面には、前記凸条部に対応する凹条部、又は、前記凹条部に対応する凸条部が設けられてなるヘアーアイロン。
【請求項２】
毛髪をカールする際使用するヘアーアイロンの長尺状のアイロン部の外周面に装着されるヘアーアイロン用カバー部材であって、
前記ヘアーアイロン用カバー部材の内周面には、前記アイロン部の長手方向に沿って設けられている凸条部に対応する凹条部、又は、前記アイロン部の長手方向に沿って設けられている凹条部に対応する凸条部が設けられているヘアーアイロン用カバー部材。
【発明の詳細な説明】
【技術分野】
【０００１】
本発明は、毛髪のためのカール機能を少なくとも備えたヘアーアイロン及びヘアーアイロン用カバー部材に関する。
【背景技術】
【０００２】
毛髪のスタイリングにおいて、各個人の好みに合わせてカールヘアにセットするためにヘアーアイロンが用いられている（例えば、特許文献１参照）。このようなヘアーアイロンは、円柱状で金属製の発熱面に毛髪を巻き付けてカール施術をすることによって、カールヘアにセットするものである。
【０００３】
ところで、このようなヘアーアイロンは、カールヘアに確実にセットできるように発熱面が外部に露呈する形状になっている。これにより、カールヘアに確実にセットできることとなる。
【先行技術文献】
【特許文献】
【０００４】
【特許文献１】特開平４−２４４１０７号公報
【発明の概要】
【発明が解決しようとする課題】
【０００５】
しかしながら、近年、タンパク質が主成分である毛髪に高温の熱エネルギーを与えると、毛髪にダメージがあることから、毛髪にダメージを与えないように、カールヘアにセットしたいという要望が高まってきている。そこで、長時間、毛髪に高温の熱エネルギーを与えなくとも、確実にカールヘアにセットできるような液剤が使用されている。
【０００６】
しかしながら、上記のような液剤を塗布した濡れ髪に、従来のヘアーアイロンを使用すると、高温の金属製の部分に濡れ髪が接触し、もって、水蒸気爆発が発生し、毛髪にダメージを与えてしまう可能性があることから、液剤を塗布した濡れ髪をある程度乾かしてから上記のようなヘアーアイロンを使用しなければならないという問題があった。
【０００７】
そこで本発明は、上記問題に鑑み、濡れ髪にも使用することができると共に、簡単容易に、ヘアーアイロン用カバー部材をヘアーアイロンに装着することができ、しかも、装着時のズレを生じ難くすることができるヘアーアイロン及びヘアーアイロン用カバー部材を提供することを目的としている。
【課題を解決するための手段】
【０００８】
上記本発明の目的は、以下の手段によって達成される。なお、括弧内は、後述する実施形態の参照符号を付したものであるが、本発明はこれに限定されるものではない。
【０００９】
請求項１のヘアーアイロンによれば、毛髪のためのカール機能を少なくとも備えたヘアーアイロン（Ｈ）であって、
前記ヘアーアイロン（Ｈ）は、
使用者が把持するグリップ部（１）と、
前記毛髪をカールする際使用する長尺状のアイロン部（２）と、
前記アイロン部（２）の外周面（２０ｃ，２０Ａｃ，２０Ｂｃ）に装着されるヘアーアイロン用カバー部材（５，５Ａ，５Ｂ）と、を有し、
前記アイロン部（２）には、該アイロン部（２）の長手方向に沿って、凸条部（２０ｄ，２０Ｂｄ）又は凹条部（２０Ａｄ）が設けられ、
前記ヘアーアイロン用カバー部材（５，５Ａ，５Ｂ）の内周面（５ａ，５Ａａ，５Ｂａ）には、前記凸条部（２０ｄ，２０Ｂｄ）に対応する凹条部（５ｂ，５Ｂｂ）、又は、前記凹条部（２０Ａｄ）に対応する凸条部（５Ａｂ）が設けられてなることを特徴としている。
【００１０】
また、請求項２の発明によれば、毛髪をカールする際使用するヘアーアイロン（Ｈ）の長尺状のアイロン部（２）の外周面（２０ｃ，２０Ａｃ，２０Ｂｃ）に装着されるヘアーアイロン用カバー部材（５，５Ａ，５Ｂ）であって、
前記ヘアーアイロン用カバー部材（５，５Ａ，５Ｂ）の内周面（５ａ，５Ａａ，５Ｂａ）には、前記アイロン部（２）の長手方向に沿って設けられている凸条部（２０ｄ，２０Ｂｄ）に対応する凹条部（５ｂ，５Ｂｂ）、又は、前記アイロン部（２）の長手方向に沿って設けられている凹条部（２０Ａｄ）に対応する凸条部（５Ａｂ）が設けられていることを特徴としている。
【発明の効果】
【００１１】
次に、本発明の効果について、図面の参照符号を付して説明する。なお、括弧内は、後述する実施形態の参照符号を付したものであるが、本発明はこれに限定されるものではない。
【００１２】
請求項１，２の発明によれば、毛髪をカールする際使用する長尺状のアイロン部（２）の外周面（２０ｃ，２０Ａｃ，２０Ｂｃ）にヘアーアイロン用カバー部材（５，５Ａ，５Ｂ）を装着することにより、ヘアーアイロン用カバー部材（５，５Ａ，５Ｂ）によって、アイロン部（２）の熱が毛髪に伝わりにくくなる。これにより、液剤を塗布した濡れ髪であっても、水蒸気爆発が発生し難くなり、もって、毛髪にダメージを与えてしまう可能性を低減させることができる。
【００１３】
しかして、請求項１，２の発明によれば、濡れ髪であっても、ヘアーアイロン（Ｈ）を使用することができる。
【００１４】
さらに、請求項１，２の発明によれば、アイロン部（２）の長手方向に沿って、凸条部（２０ｄ，２０Ｂｄ）又は凹条部（２０Ａｄ）が設けられ、ヘアーアイロン用カバー部材（５，５Ａ，５Ｂ）の内周面（５ａ，５Ａａ，５Ｂａ）には、凸条部（２０ｄ，２０Ｂｄ）に対応する凹条部（５ｂ，５Ｂｂ）、又は、凹条部（２０Ａｄ）に対応する凸条部（５Ａｂ）が設けられている。これにより、長尺状のアイロン部（２）の外周面（２０ｃ，２０Ａｃ，２０Ｂｃ）にヘアーアイロン用カバー部材（５，５Ａ，５Ｂ）を装着する際、凸条部（２０ｄ，２０Ｂｄ）と凹条部（５ｂ，５Ｂｂ）が嵌合、又は、凹条部（２０Ａｄ）と凸条部（５Ａｂ）が嵌合することとなり、もって、装着時のズレを生じ難くすることができる。また、長尺状のアイロン部（２）の外周面（２０ｃ，２０Ａｃ，２０Ｂｃ）にヘアーアイロン用カバー部材（５，５Ａ，５Ｂ）を装着するにあたって、凸条部（２０ｄ，２０Ｂｄ）と凹条部（５ｂ，５Ｂｂ）が嵌合、又は、凹条部（２０Ａｄ）と凸条部（５Ａｂ）が嵌合するように装着すれば良いため、凹条部と凸条部がガイド機構の役割をすることとなり、もって、簡単容易に、長尺状のアイロン部（２）の外周面（２０ｃ，２０Ａｃ，２０Ｂｃ）にヘアーアイロン用カバー部材（５，５Ａ，５Ｂ）を装着することができる。
【図面の簡単な説明】
【００１５】
【図１】本発明の一実施形態に係るヘアーアイロンにヘアーアイロン用カバー部材を装着しようとしている状態を示す分解斜視図である。
【図２】（ａ）は、同実施形態に係るヘアーアイロンにヘアーアイロン用カバー部材を装着した状態を示す斜視図、（ｂ）は、（ａ）に示すＸ−Ｘ線断面図である。
【図３】他の実施形態に係るヘアーアイロン用カバー部材を、他の実施形態に係るヘアーアイロンに装着した状態を示す断面図である。
【図４】他の実施形態に係るヘアーアイロン用カバー部材を、他の実施形態に係るヘアーアイロンに装着した状態を示す断面図である。
【発明を実施するための形態】
【００１６】
以下、本発明に係るヘアーアイロン及びヘアーアイロン用カバー部材の一実施形態を、図面を参照して具体的に説明する。なお、以下の説明において、上下左右の方向を示す場合は、図示正面から見た場合の上下左右をいうものとする。
【００１７】
図１に示すように、ヘアーアイロンＨは、使用者が把持するグリップ部１と、髪をカールする際使用するアイロン部２と、で構成されている。このグリップ部１は、使用者が把持しやすいように長尺の略棒状に形成されると共に、後述するヒータ（図示せず）からの熱が伝わるのを抑制するため、熱不良導体（例えば、ＰＣ等）で形成されている。そしてさらに、このグリップ部１は、先端部１ａに、アイロン部２が取り付けられ、後端部１ｂに、図示しない商用電源に接続する電線コード３が取り付けられている。
【００１８】
一方、アイロン部２は、図１に示すように、長尺の円柱状で金属製の発熱部２０を有している。この発熱部２０は、グリップ部１の先端部１ａに取り付け固定されており、発熱部２０の先端部２０ａには、熱不良導体（例えば、ＰＣ等）で形成されているキャップ部２１が連設されている。なお、この発熱部２０には、図示しないヒータが内蔵されている。この図示しないヒータは、電線コード３から供給される電気エネルギーによって発熱する。これにより、発熱部２０は、熱良導体である金属製で形成されていることから、図示しないヒータの熱が伝わり、もって、発熱することとなる。
【００１９】
一方、図１に示すように、発熱部２０の後端部２０ｂには、髪押さえ部４が設けられている。この髪押さえ部４は、縦長半楕円状で、熱良導体である金属製からなるカール板４ａと、このカール板４ａの後方に設けられている操作部４ｂと、で構成されている。この操作部４ｂを、図１に示す矢印Ｙ１方向に押圧すると、カール板４ａが矢印Ｙ２方向に移動し、カール板４ａの内周面４ａ１が、発熱部２０の外周面２０ｃから離間することとなる。これにより、カール板４ａの内周面４ａ１と、発熱部２０の外周面２０ｃとの間に毛髪を入れることができ、もって、操作部４ｂを戻すことで毛髪を狭持できることとなる。
【００２０】
かくして、発熱部２０とカール板４ａとにより毛髪を挟持した状態で、その毛髪を、発熱させている発熱部２０の外周面２０ｃに巻き付けることで、カール施術できることとなる。
【００２１】
ところで、上記説明したヘアーアイロンの構造は、従来周知のものであり、このままの構造では、液剤を塗布した濡れ髪が、発熱部２０に接触すると、水蒸気爆発が発生し、毛髪にダメージを与えてしまう可能性がある。
【００２２】
そこで、本実施形態においては、図１に示す発熱部２０の外周面２０ｃに、図２（ａ）に示すように、ヘアーアイロン用カバー部材５を装着するようにしている。このヘアーアイロン用カバー部材５は、弾性変形可能な部材（例えば、耐熱シリコン・ゴム等）等で形成されると共に、図１に示すように、厚み約５ｍｍの円筒状に形成されている。そして、このヘアーアイロン用カバー部材５の長手方向の長さＬ１は、発熱部２０の長手方向の長さＬ２と略同一に形成されている。そしてさらに、図１及び図２（ｂ）に示すように、ヘアーアイロン用カバー部材５の内周面５ａには、ヘアーアイロン用カバー部材５の長手方向に沿って、所定間隔置きに、複数（図示では、４つ）の凹条部５ｂが設けられている。この凹条部５ｂの深さは、約３ｍｍに形成されている。
【００２３】
一方、図１及び図２（ｂ）に示すように、発熱部２０の外周面２０ｃには、発熱部２０の長手方向に沿って、上記凹条部５ｂに対応する凸条部２０ｄが、複数（図示では、４つ）設けられている。この凸条部２０ｄの高さは、約２ｍｍに形成されており、凹条部５ｂの深さよりも若干小さく形成されている。なお、図２（ｂ）に示すように、発熱部２０の径は、ヘアーアイロン用カバー部材５の内周面５ａの径よりも、若干径小に形成されている。
【００２４】
かくして、ヘアーアイロン用カバー部材５を、図１に示す発熱部２０の外周面２０ｃに装着するにあたっては、図１に示すように、発熱部２０の先端部２０ａを、ヘアーアイロン用カバー部材５の後端部５ｃから、ヘアーアイロン用カバー部材５の内部に挿入するようにする。この際、図２（ｂ）に示すように、ヘアーアイロン用カバー部材５の内周面５ａに設けられている凹条部５ｂに、発熱部２０の外周面２０ｃに設けられている凸条部２０ｄを嵌合するように挿入する。これにより、図２に示すように、ヘアーアイロン用カバー部材５は、発熱部２０の外周面２０ｃ（図１参照）に装着できることとなる。
【００２５】
しかして、このように、発熱部２０の外周面２０ｃ（図１参照）にヘアーアイロン用カバー部材５を装着することにより、ヘアーアイロン用カバー部材５によって、発熱部２０の熱が毛髪に伝わりにくくなる。これにより、カール板４ａとヘアーアイロン用カバー部材５とにより毛髪を挟持した状態で、カール施術することとなるから、液剤を塗布した濡れ髪であっても、水蒸気爆発が発生し難くなり、もって、毛髪にダメージを与えてしまう可能性を低減させることができる。
【００２６】
しかして、本実施形態によれば、濡れ髪であっても、ヘアーアイロンＨを使用することができる。
【００２７】
また、本実施形態によれば、ヘアーアイロン用カバー部材５の内周面５ａに設けられている凹条部５ｂに、発熱部２０の外周面２０ｃに設けられている凸条部２０ｄを嵌合するように挿入することにより、発熱部２０の外周面２０ｃにヘアーアイロン用カバー部材５を装着している。これにより、ヘアーアイロン用カバー部材５を発熱部２０の外周面２０ｃに装着した際、凹条部５ｂと凸条部２０ｄが嵌合していることにより、装着時のズレを生じ難くすることができる。また、凹条部５ｂと凸条部２０ｄが嵌合するように装着すれば良いため、凹条部５ｂと凸条部２０ｄがガイド機構の役割をすることとなり、もって、簡単容易に、ヘアーアイロン用カバー部材５を発熱部２０の外周面２０ｃに装着することができる。さらに、凹条部５ｂと凸条部２０ｄがガイド機構の役割をすることにより、ヘアーアイロン用カバー部材５を発熱部２０の外周面２０ｃから取り外す際も、簡単容易に取り外すことができる。
【００２８】
一方、本実施形態によれば、発熱部２０の外周面２０ｃにヘアーアイロン用カバー部材５を装着するにあたって、図２（ｂ）に示すように、僅かな隙間Ｓが形成されるようにしている。これにより、ヘアーアイロン用カバー部材５を発熱部２０の外周面２０ｃに装着したり取り外したりする作業が、より簡単容易となる。
【００２９】
なお、本実施形態において示した形状等はあくまで一例であり、特許請求の範囲に記載された本発明の要旨の範囲内において、種々の変形・変更が可能である。例えば、本実施形態においては、発熱部２０の外周面２０ｃに凸条部２０ｄを設け、ヘアーアイロン用カバー部材５の内周面５ａに凹条部５ｂを設ける例を示したが、それに限らず、逆でも良い。すなわち、図３に示すように、ヘアーアイロン用カバー部材５Ａの内周面５Ａａに、所定間隔置きに、複数（図示では、４つ）の凸条部５Ａｂを設け、発熱部２０Ａの外周面２０Ａｃに、上記凸条部５Ａｂに対応する凹条部２０Ａｄを、複数（図示では、４つ）設けるようにしても良い。このようにしても、上述した作用効果と同一の作用効果を発揮させることができる。なお、図３に示すような発熱部２０Ａの外周面２０Ａｃにヘアーアイロン用カバー部材５Ａを装着するにあたっても、僅かな隙間Ｓを形成するようにしておけばよい。
【００３０】
また、凹条部５ｂ，２０Ａｄ、凸条部２０ｄ，５Ａｂの形状は、本実施形態において示した形状に限らず、鉤状、円弧状等どのような形状でも良い。例えば、図４に示すように、発熱部２０Ｂの外周面２０Ｂｃに円弧状の凸条部２０Ｂｄを設け、ヘアーアイロン用カバー部材５Ｂの内周面５Ｂａに円弧状の凹条部５Ｂｂを設けるようにしても良い。なお、図４に示すような発熱部２０Ｂの外周面２０Ｂｃにヘアーアイロン用カバー部材５Ｂを装着するにあたっても、僅かな隙間Ｓを形成するようにしておけばよい。
【００３１】
さらに、凹条部、凸条部の数は、何個でも良く、１個でも良い。またさらに、凹条部、凸条部を設けるにあたって、所定間隔置きに形成する例を示したが、それに限らず、ランダムに形成しても良く、凹条部と凸条部が対応関係にあれば良い。
【００３２】
また、本実施形態においては、ヘアーアイロン用カバー部材５，５Ａ，５Ｂの形状として円筒状に形成されたものを例示したが、それに限らず、半割状に形成しても良い。この際、発熱部２０，２０Ａ，２０Ｂの外周面２０ｃ，２０Ａｃ，２０Ｂｃにヘアーアイロン用カバー部材５，５Ａ，５Ｂを装着するにあたっては、半割状のヘアーアイロン用カバー部材５，５Ａ，５Ｂを接着剤や凹凸嵌合等で接合して、装着するようにすれば良い。
【００３３】
一方、本実施形態においては、ヘアーアイロンＨとして、カール機能を有するものだけを例示したが、カール機能とストレート機能を切り替えることができるヘアーアイロンにも適用可能である。
【符号の説明】
【００３４】
Ｈ                          ヘアーアイロン
１                          グリップ部
２                          アイロン部
２０，２０Ａ，２０Ｂ        発熱部
２０ｃ，２０Ａｃ，２０Ｂｃ  外周面
２０ｄ，２０Ｂｄ            凸条部
２０Ａｄ                    凹条部
５，５Ａ，５Ｂ              ヘアーアイロン用カバー部材
５ａ，５Ａａ，５Ｂａ        内周面
５Ａｂ                      凸条部
５ｂ，５Ｂｂ                凹条部
【図１】
2020192204.tif 000003
【図２】
2020192204.tif 000004
【図３】
2020192204.tif 000005
【図４】
2020192204.tif 000006